(57)【特許請求の範囲】
【請求項１】
伸縮門扉、引き戸等のスライドする扉と、前記扉を施錠する錠の組み合わせ構造において、
前記錠は、前記スライドする扉に取り付けられる錠部と、
前記扉をスライドすることによって前記扉が近接離反することとなる部材に取り付けられる受け部とを有し、
前記錠部と受け部は、扉が閉じている時及び開いている時に対向しており、両者が接近すると互いに係合して施錠されるものであり、
錠部は突出部と解除手段とを有しており、
受け部はシャッター部を有しており、
シャッター部は、常時閉じる方向に付勢されており、
錠部が受け部に接近すると、突出部がシャッター部をこじ開けて両者が係合して施錠状態となり、
前記施錠状態において、解除手段がシャッター部をこじ開けると、シャッター部が開放方向に拡がり、錠部と受け部が解錠状態になることを特徴とする扉と錠の組み合わせ構造。
【請求項２】
前記シャッター部は対向配置された挟持部を有し、
前記挟持部は近接する方向に付勢されていることを特徴とする請求項１に記載の扉と錠の組み合わせ構造。
【請求項３】
前記突出部は係止部を有していることを特徴とする請求項１又は２に記載の扉と錠の組み合わせ構造。
【請求項４】
前記解除手段は前進部と保持部とを有し、
前進部は前進可能であって、
保持部は前進部を特定の姿勢で保持可能であることを特徴とする請求項１乃至３のいずれかに記載の扉と錠の組み合わせ構造。
【発明の詳細な説明】
【技術分野】
【０００１】
本発明は扉と錠の組み合わせ構造に関し、さらに詳細には、容易に施錠が可能な構造に関する。
【背景技術】
【０００２】
住宅への不審者の侵入防止や、自動車の窃盗防止等の防犯対策において、設置の容易さや使い勝手の良さから、本体部の伸縮が自在である伸縮門扉が注目を浴びている。特許文献１には、錠部材と落とし棒を備えた伸縮門扉が開示されている。
特許文献１に開示された伸縮門扉は、操作部を水平方向に移動させることで本体部が伸縮するスライド扉の一種である。そして、操作部を下側に降ろすだけで、錠部材による施錠と落とし棒による固定とが可能である。このことにより、伸縮門扉の伸縮と施錠を片手で行うことができる。
【先行技術文献】
【特許文献】
【０００３】
【特許文献１】特開２００４−２７０２２４号公報
【発明の概要】
【発明が解決しようとする課題】
【０００４】
ところが、特許文献１に開示された伸縮門扉では、施錠を行うために、操作部の水平方向と垂直方向の移動という二つの動作が必要であり、面倒である。
【０００５】
上記した現状に鑑み、本発明は容易に施錠が可能な扉と錠の組み合わせ構造の提供を目的とする。
【課題を解決するための手段】
【０００６】
上記課題を解決するための請求項１に記載の発明は、伸縮門扉、引き戸等のスライドする扉と、前記扉を施錠する錠の組み合わせ構造において、前記錠は、前記スライドする扉に取り付けられる錠部と、前記扉をスライドすることによって前記扉が近接離反することとなる部材に取り付けられる受け部とを有し、前記錠部と受け部は、扉が閉じている時及び開いている時に対向しており、両者が接近すると互いに係合して施錠されるものであり、錠部は突出部と解除手段とを有しており、受け部はシャッター部を有しており、シャッター部は、常時閉じる方向に付勢されており、錠部が受け部に接近すると、突出部がシャッター部をこじ開けて両者が係合して施錠状態となり、前記施錠状態において、解除手段がシャッター部をこじ開けると、シャッター部が開放方向に拡がり、錠部と受け部が解錠状態になることを特徴とする扉と錠の組み合わせ構造である。
【０００７】
請求項１に記載の発明における錠は、錠部と受け部を有するものである。錠部と受け部は、扉が閉じている時のみならず、開いている時にも対向している。そして、錠部と受け部が接近すると互いに係合して施錠されるものである。
本発明の扉と錠の組み合わせ構造は、錠部の突出部で受け部のシャッター部をこじ開けるだけで錠部と受け部が係合可能になるので、例えば、伸縮門扉の本体部を水平移動させるだけで、施錠することができる。すなわち、一つの動作で施錠が可能である。
さらに、施錠状態において、解除手段がシャッター部をこじ開けるだけで、シャッター部が開放方向に拡がり、錠部と受け部が解錠可能状態になるので、解錠が簡単である。
本発明の扉と錠の組み合わせ構造によれば、容易に施錠が可能である。
【０００８】
また、本発明に関連する発明は、伸縮門扉、引き戸等の、スライドする扉と当該扉をスライドすることによって前記扉が近接離反することとなる部材に取り付けられ、前記扉を施錠する錠において、前記スライドする扉に取り付けられる錠部と、前記扉をスライドすることによって前記扉が近接離反することとなる部材に取り付けられる受け部とを有し、前記錠部と受け部は、扉が閉じている時及び開いている時に対向しており、両者が接近すると互いに係合して施錠されるものであり、錠部は突出部と解除手段とを有しており、受け部はシャッター部を有しており、シャッター部は、常時閉じる方向に付勢されており、錠部が受け部に接近すると、突出部がシャッター部をこじ開けて両者が係合して施錠状態となり、前記施錠状態において、解除手段がシャッター部をこじ開けると、シャッター部が開放方向に拡がり、錠部と受け部が解錠状態になることを特徴とする錠である。
【０００９】
請求項２に記載の発明は、前記シャッター部は対向配置された挟持部を有し、前記挟持部は近接する方向に付勢されていることを特徴とする請求項１に記載の扉と錠の組み合わせ構造である。
【００１０】
シャッター部は、近接する方向に付勢された二つの挟持部を有している。すなわち、二つの挟持部で挟み込むことで、シャッター部を構成している。つまり、シャッター部は簡素な構成となり、部品点数が少なくて済む。
本発明の扉と錠の組み合わせ構造によれば、低廉化が可能である。
【００１１】
請求項３に記載の発明は、前記突出部は係止部を有していることを特徴とする請求項１又は２に記載の扉と錠の組み合わせ構造である。
【００１２】
係止部を有した突出部は、シャッター部に係合した際に、抜け難い。
本発明の扉と錠の組み合わせ構造によれば、強固に施錠することが可能である。
【００１３】
請求項４に記載の発明は、前記解除手段は前進部と保持部とを有し、前進部は前進可能であって、保持部は前進部を特定の姿勢で保持可能であることを特徴とする請求項１乃至３のいずれかに記載の扉と錠の組み合わせ構造である。
【００１４】
前進部は前進可能である。保持部は、前進部を特定の姿勢で保持できる。例えば、伸縮門扉に取り付けたレバー等に保持部を連動させることにより、意図した場合にのみ、前進部でシャッター部を拡げた姿勢を保持できる。
本発明の扉と錠の組み合わせ構造によれば、解錠動作を確実に行うことができる。
【発明の効果】
【００１５】
本発明の扉と錠の組み合わせ構造によれば、容易に施錠が可能である。
【図面の簡単な説明】
【００１６】
【図１】本発明の実施形態に係る錠を備えた伸縮門扉を示す正面図である。
【図２】錠の錠部と受け部を示す斜視図である。
【図３】錠部を示す斜視図である。
【図４】錠部を示す図であり、（ａ）は正面図、（ｂ）は右側面図である。
【図５】錠部を示す分解斜視図である。
【図６】突出片を示す図であり、（ａ）は平面図、（ｂ）は正面図である。
【図７】前進部を示す図であり、（ａ）は平面図、（ｂ）は正面図、（ｃ）は右側面図である。
【図８】保持部を示す図であり、（ａ）は正面図、（ｂ）は左側面図である。
【図９】固定部を示す図であり、（ａ）は正面図、（ｂ）は左側面図である。
【図１０】固定軸を示す図であり、（ａ）は右側面図、（ｂ）は（ａ）のＡ矢視方向から見た正面図、（ｃ）は（ａ）のＢ矢視方向から見た背面図である。
【図１１】ハウジング部を示す図であり、（ａ）は正面図、（ｂ）は右側面図である。
【図１２】図１１（ａ）のＡ−Ａ断面図である。
【図１３】固定部収納部の一部を抽出した説明図（斜視図）である。
【図１４】固定部収納部のガイド部の説明図であり、（ａ）は一部破断斜視図、（ｂ）は一部破断正面図、（ｃ）は背面図、（ｄ）は右側面図である。
【図１５】固定部収納部を示す図であり、（ａ）は底面側から見た斜視図、（ｂ）は底面図である。
【図１６】突出部収納部を示す図であり、（ａ）は分離斜視図、（ｂ）は（ａ）のＡ矢視方向から見た底面図である。
【図１７】解除手段収納部の一部を抽出した説明図（斜視図）である。
【図１８】錠部の組立構造を表した側面図（一部断面図）である。
【図１９】固定部収納部における固定部の位置を示す説明図であり、（ａ）は正面図、（ｂ）は背面図である。
【図２０】固定部収納部における固定軸の位置を示す説明図であり、（ａ）は正面図、（ｂ）は（ａ）の胴体部を示す右側面図である。
【図２１】突出部収納部における突出片と前進部の位置を示す正面図である。
【図２２】解除手段収納部における保持部の位置を示す説明図（正面図）である。
【図２３】受け部を示す斜視図である。
【図２４】受け部を示す図であり、（ａ）は正面図、（ｂ）は右側面図である。
【図２５】受け部を示す分解斜視図である。
【図２６】棒部を示す正面図である。
【図２７】ケース部を示す図であり、（ａ）は正面側から見た斜視図、（ｂ）は背面側から見た斜視図である。
【図２８】ベース部を示す図であり、（ａ）は正面図、（ｂ）は右側面図、（ｃ）は平面図、（ｄ）は底面図である。
【図２９】補強板を示す図であり、（ａ）は正面図、（ｂ）は右側面図である。
【図３０】受け部の組立構造を表した正面図である。
【図３１】錠部とハンドル部およびレバー部との関係を示す斜視図である。
【図３２】錠部の解錠動作を示す図であり、（ａ）は「解錠前」、（ｂ）は「解錠状態」である。
【図３３】錠部と受け部との施錠動作の原理を示す説明図（平面図）であり、（ａ）は「対向状態」、（ｂ）は「近接状態」、（ｃ）は「係合状態」、（ｄ）は「施錠状態」である。
【図３４】錠部と受け部との解錠動作の原理を示す説明図（平面図）であり、（ａ）は「施錠状態」、（ｂ）は「解錠可能状態」、（ｃ）は「解錠状態」である。
【図３５】錠部の固定部による保持部の固定方法を示す説明図であり、（ａ）は「自由状態」、（ｂ）は「固定状態」である。
【発明を実施するための形態】
【００１７】
以下は、本発明の扉と錠の組み合わせ構造の実施形態について、図面を参照しながら詳細に説明する。なお、以下の説明は、実施形態の理解を容易にするためのものであり、これによって、本発明が制限して理解されるべきではない。
【００１８】
図１に示すように、錠１は、伸縮門扉１０（スライド扉１００）や引き戸等を施錠するためのものであり、伸縮門扉１０や引き戸等に取り付けて使用されるものである。錠１は、ガイド柱１１，１２に取り付けられている。
図２に示すように、錠１は、錠部２と受け部３とを有している。
錠部２は、突出部５と、解除手段６を有している。受け部３は、シャッター部８を有している。錠部２はガイド柱１２に設けられており、受け部３はガイド柱１１に設けられている。
ガイド柱１１は、ハンドル部１３を有している。ガイド柱１２は、ハンドル部１４と、レバー部１５と、錠前１６を有している。
錠部２と受け部３とを互いに向き合うようにして組み合わせることにより、伸縮門扉１０は施錠される。
【００１９】
図３に示すように、錠部２は、平坦な板部材である蓋部１８から、矢印状の突出部５が突出した構成を有している。錠部２は、受け部３と嵌合するための部材であり、錠１の錠本体を成すものである。
図４（ａ）に示すように、錠部２は正面視で長方形を成している。図４（ｂ）に示すように、錠部２は側面視で略ト字状を成している。なお、突出部５の上下側には、解除手段６が設けられている。
図５に示すように、錠部２は、蓋部１８と、ハウジング部１９と、突出片２０，２１と、前進部２２（解除手段６）と、保持部２３（解除手段６）と、固定部２４と、回転軸２５と、バネ２６と、係合バネ２７と、係合ピン２８と、係合片２９，３０と、ネジ３１，３２とを有している。
【００２０】
蓋部１８は、略長方形であり、金属製の板部材である。図５の上下方向において、蓋部１８の両端部には孔１８ａ，１８ｂを有し、蓋部１８の略中央部には開口１８ｃを有している。
バネ２６は、コイル状の弾性部材である。
係合バネ２７は、コイル状の弾性部材であり、両端部は側面視でそれぞれ略Ｓ字状となるように外側に巻かれている。
【００２１】
図６（ａ）に示すように、突出片２０，２１は、平面視で略矢印状の金属部材である。突出片２０，２１は、略同一形状を有しており、両者は正面視で略重なる。
突出片２０，２１は、先端部２０ａ，２１ａと、胴体部２０ｄ，２１ｄと、軸部２０ｅ，２１ｅとを有している。先端部２０ａ，２１ａと、胴体部２０ｄ，２１ｄとの間には、凹部２０ｂ，２１ｂと、凹部２０ｃ，２１ｃとが設けられている。
先端部２０ａ，２１ａは、キノコ状を成している。先端部２０ａ，２１ａは、突出部５を構成している。
凹部２０ｂ，２１ｂと、凹部２０ｃ，２１ｃとは、先端部２０ａ，２１ａの幅よりも窪んだ部位である。凹部２０ｂ，２１ｂと、凹部２０ｃ，２１ｃとは、係止部７を構成している。
胴体部２０ｄ，２１ｄは、略台形状を成している。胴体部２０ｄ，２１ｄは、それぞれ凸部２０ｇ（２１ｇ）と、凸部２０ｈ（２１ｈ）とを有している。
軸部２０ｅ，２１ｅの端部には、それぞれ孔２０ｆ，２１ｆが設けられている。
また、胴体部２０ｄ，２１ｄは、それぞれ係止部２０ｉ，２１ｉと、係止部２０ｊ，２１ｊとを有している。
【００２２】
図７（ａ）に示すように、前進部２２は、平面視で略ホームベース状の金属部材であり、大三角形状を有している。前進部２２は、解除手段６を構成する部材の一つである。図７（ｂ）に示すように、前進部２２は、解除片２２ａ，２２ｂと、側板２２ｃとを有している。
解除片２２ａ，２２ｂは、側板２２ｃより直交する方向に屈曲しており、図７（ｂ）において上下方向に対向配置されている。すなわち、前進部２２は、１枚の板部材の一部を切り欠き、折り曲げて形成された部材であり、正面視で略コ字状を成している。なお、解除片２２ｂには、凸部２２ｄが設けられている。解除片２２ａ，２２ｂの幅は、突出片２０，２１の先端部２０ａ，２１ａの幅よりも広い。
また、図７（ｃ）に示すように、側板２２ｃの略中央には、開口２２ｅが設けられている。
【００２３】
図８（ａ）に示すように、保持部２３は、正面視で略Ｐ字状の金属部材であり、解除手段６を構成する部材の一つである。図８（ｂ）に示すように、保持部２３は、保持片２３ａ，２３ｂと、側板２３ｃとを有している。保持片２３ａ，２３ｂは、側板２３ｃより直交する方向に屈曲しており、図８（ｂ）において左右に対向配置されている。すなわち、保持部２３は、１枚の板部材の一部を切り欠き、折り曲げて形成された部材であり、側面視で略Ｕ字状を成している。
保持片２３ａ，２３ｂは、それぞれ凹部２３ｄ，２３ｅを有している。凹部２３ｄ，２３ｅは、それぞれ保持片２３ａ，２３ｂの上端部に位置している。凹部２３ｄ，２３ｅは、正面視で略重なる。また、保持片２３ａ，２３ｂは、それぞれ支持部２３ｈ，２３ｉを有している。支持部２３ｈ，２３ｉは、略お椀状の突出部である。支持部２３ｈ，２３ｉは、それぞれ保持片２３ａ，２３ｂの下端側に位置している。支持部２３ｈ，２３ｉの略中央には、それぞれ孔２３ｆ，２３ｇが設けられている。孔２３ｆ，２３ｇは、正面視で略重なる。
【００２４】
図９（ａ）に示すように、固定部２４は、正面視で、天地逆にしたＥ字と横にしたＬ字とを組み合わせた形状を成している。また、図９（ｂ）に示すように、固定部２４は、側面視で枝状を成した金属部材である。固定部２４は、腕部２４ａ，２４ｂ，２４ｃ，２４ｄと、ガイド部２４ｅ，２４ｆと、固定片２４ｇと、胴体部２４ｈとを有している。
腕部２４ａ，２４ｂ，２４ｃ，２４ｄは、胴体部２４ｈより直交する方向に屈曲している。図９（ａ）において、腕部２４ｂ（２４ａ），２４ｄ（２４ｃ）は、上下方向に対向配置されている。また、図９（ｂ）において、腕部２４ａ，２４ｂ，２４ｃ，２４ｄは、上下左右にそれぞれ対向配置されている。
一方、ガイド部２４ｅ，２４ｆは、図９（ｂ）において胴体部２４ｈよりそれぞれ左右に突出している。
さらに、固定片２４ｇは、正面視で略四角状を成しており、胴体部２４ｈの下端部に位置している。
すなわち、固定部２４は、１枚の板部材を型取りし、折り曲げて形成された部材である。
【００２５】
図１０（ａ）〜（ｃ）に示すように、回転軸２５は、複雑な形状を有した軸部材である。回転軸２５は、胴体部２５ａと、鍔部２５ｂ，２５ｃと、ガイド部２５ｄ，２５ｅと、突出棒２５ｆ，２５ｇと、係合棒２５ｈとを有している。
胴体部２５ａは、中空の管状部材である。胴体部２５ａは、図１０（ａ）に示すように、側面に貫通孔２５ｋを有している。貫通孔２５ｋは、胴体部２５ａの略中心部を貫通している。
鍔部２５ｂ，２５ｃは、円状部材であり、胴体部２５ａより一回り大きい。鍔部２５ｂ，２５ｃは、図１０（ｂ），（ｃ）の水平方向において、それぞれ胴体部２５ａの両端部より内側に位置している。
【００２６】
ガイド部２５ｄ，２５ｅは、図１０（ａ）に示すように、半月状の部材であり、鍔部２５ｂ，２５ｃより一回り大きい。ガイド部２５ｄ，２５ｅは、図１０（ｂ），（ｃ）の水平方向において、それぞれ鍔部２５ｂ，２５ｃよりも内側に位置している。
突出棒２５ｆ，２５ｇは、略円柱状の部材である。突出棒２５ｆ，２５ｇは、図１０（ａ）の円方向において、貫通孔２５ｋより離れた位置にある。また、図１０（ｃ）の水平方向において、突出棒２５ｆ，２５ｇは同一線上に位置しており、さらに、両者は胴体部２５ａに対向配置されている。突出棒２５ｆ，２５ｇは、支持部２５ｊを介して胴体部２５ａにつながっている。
【００２７】
係合棒２５ｈは、略円柱状の部材である。係合棒２５ｈは、図１０（ａ）の円方向において、貫通孔２５ｋより離れた位置にあって、貫通孔２５ｋを中心として突出棒２５ｆ，２５ｇより略９０度回転した位置にある。また、係合棒２５ｈは、図１０（ｂ）の水平方向において、胴体部２５ａに対向配置されている。
係合棒２５ｈは、図１０（ｂ）において、ガイド部２５ｅ側の端部に、抜け止め部２５ｍを有している。抜け止め部２５ｍは、係合棒２５ｈよりも一回り大きい。一方、係合棒２５ｈは、ガイド部２５ｄ側の端部は、支持部２５ｉを介して胴体部２５ａにつながっている。支持部２５ｉは、図１０（ａ）において、尾根状を有しており、支持部２５ｊにまで延びている。
【００２８】
図１１（ａ）に示すように、ハウジング部１９は、正面視で略長方形であり、樹脂製の容器部材４０である。ハウジング部１９は、ケース部材であり、内部は複雑な形状を有している。ハウジング部１９は、上下方向において、容器部材４０の両端部に、係合片４０ａ，４０ｂを有している。係合片４０ａ，４０ｂには、それぞれ孔４０ｃ，４０ｄを有している。さらに、係合片４０ａ，４０ｂの内部には、空間４０ｅ，４０ｆを有している。また、図１１（ｂ）に示すように、ハウジング部１９は、側面視で凸状を縦にしたような形状を成している。
【００２９】
ハウジング部１９は、固定部収納部４１と、突出部収納部４２と、解除手段収納部４３とを有している。
固定部収納部４１は、図１１（ａ）に示すように、ハウジング部１９の上側に位置している。固定部収納部４１は、開口４１ａと、空間４１ｂとを有している。空間４１ｂは、奥行きを有した内部空間である。空間４１ｂ内には、ガイド部４１ｃ，４１ｄと、凹部４１ｅ，４１ｆ，４１ｇと、係合棒４１ｈと、段部４１ｕ，４１ｖとを有している。図１１（ａ），（ｂ）に示すように、空間４１ｂの外側において、容器部材４０の縁部には軸受け部４１ｊ，４１ｋを有している。容器部材４０の側面には、貫通孔４１ｒを有している。容器部材４０の背面には、ガイド部４１ｏを有している。
【００３０】
突出部収納部４２は、図１１（ａ）に示すように、ハウジング部１９の略中央に位置している。突出部収納部４２は、開口４２ａと、空間４２ｂとを有している。空間４２ｂは、奥行きを有した内部空間である。空間４２ｂ内には、凹部４２ｃ，４２ｄと、開口４２ｅとを有している。図１１（ａ），（ｂ）に示すように、空間４２ｂの外側において、容器部材４０の縁部には凹部４２ｆ，４２ｇを有している。容器部材４０の背面には、ピン受け部４２ｈを有している。ピン受け部４２ｈは、孔４２ｉ，４２ｊを有している。
【００３１】
解除手段収納部４３は、図１１（ａ）に示すように、ハウジング部１９の下側に位置している。解除手段収納部４３は、開口４３ａと、空間４３ｂとを有している。空間４３ｂは、奥行きを有した内部空間である。空間４３ｂ内には、ガイド部４３ｃ，４３ｄ，４３ｅと、突起部４３ｆと、係合片４３ｇ，４３ｈとを有している。ガイド部４３ｃ，４３ｄの間には開口４３ｉが設けられている。ガイド部４３ｄ，４３ｅの間には開口４３ｊが設けられている。図１１（ａ），（ｂ）に示すように、空間４３ｂの外側において、容器部材４０の側面には、貫通孔４３ｋ，４３ｍ，４３ｎを有している。貫通孔４３ｋ，４３ｍは、図１１（ａ）において、それぞれガイド部４３ｃ，４３ｅの左右に位置している。貫通孔４３ｎは、図１１（ｂ）において、容器部材４０の下端側に位置している。
【００３２】
図１２（図１１（ａ）のＡ−Ａ断面図）に示すように、固定部収納部４１の空間４１ｂと、突出部収納部４２の空間４２ｂと、解除手段収納部４３の空間４３ｂとは、一つにつながっており、一体化している。すなわち、ハウジング部１９は、半開放された中空の容器部材である。
【００３３】
図１３の固定部収納部４１の一部を抽出した説明図に示すように、ガイド部４１ｃ，４１ｄは、略山形状の突起部である。ガイド部４１ｃ，４１ｄは、図１３の鉛直方向において、対向配置されている。ガイド部４１ｃ，４１ｄの略中央部には、それぞれ凹部４１ｓ，４１ｔが設けられている。
軸受け部４１ｊ，４１ｋは、略Ｃ字状の支え部である。軸受け部４１ｊ，４１ｋの略中央部には、それぞれ凹部４１ｍ，４１ｎが設けられている。凹部４１ｍ，４１ｎの最下部は、凹部４１ｓ，４１ｔの最下部と略同一線上に位置している。
係合棒４１ｈは、略円柱状の部材であり、図１３において、ガイド部４１ｃ，４１ｄの上側に位置している。係合棒４１ｈは、ガイド部４１ｄ側からガイド部４１ｃ側に向かって突出している。係合棒４１ｈは、ガイド部４１ｃ側の端部に、抜け止め部４１ｉを有している。抜け止め部４１ｉは、係合棒４１ｈよりも一回り大きい。
【００３４】
図１１（ａ）および図１４（ａ）〜（ｄ）のガイド部４１ｏに注視した説明図（一部破断図）に示すように、凹部４１ｅ，４１ｆは、窪みである。凹部４１ｅ，４１ｆは、図１１（ａ）において、それぞれガイド部４１ｃ，４１ｄよりも内側に位置している。
ガイド部４１ｏは、固定部収納部４１の底部を成している。すなわち、ガイド部４１ｏの空間４１ｂ側の面は、凹部４１ｇである。ガイド部４１ｏの両側面には、開口４１ｐ，４１ｑが設けられている。開口４１ｐ，４１ｑは、それぞれ凹部４１ｅ，４１ｆとつながっている。
【００３５】
図１５（ａ）に示すように、段部４１ｕ，４１ｖは、軸受け部４１ｊ，４１ｋの近傍に位置している。段部４１ｕ，４１ｖは、断面視で四角状を成した部位である。図１５（ｂ）に示すように、段部４１ｕ，４１ｖは水平方向に対向配置されており、凹部４１ｇとの間に隙間４１ｗを有している。
【００３６】
図１６（ａ）は、突出部収納部４２からピン受け部４２ｈを分離させた図である。突出部収納部４２は、四方を略囲まれた箱部材である。開口４２ａは、十字状を成している。容器部材４０の縁部に設けられた凹部４２ｆ，４２ｇは、開口４２ａの左右に位置している。開口４２ａとは逆の背面上側には、隙間４２ｋが設けられている。また、開口４２ａとは逆の背面下側には、隙間４２ｍが設けられている。一方、ピン受け部４２ｈは、孔の空いた底板部材である。ピン受け部４２ｈの略中央には、開口４２ｅが設けられている。凹部４２ｃ，４２ｄは、開口４２ｅの左右に位置している。
図１６（ｂ）（図１６（ａ）のＡ矢視図）に示すように、突出部収納部４２にピン受け部４２ｈが一体化された状態でも、隙間４２ｋおよび隙間４２ｍは塞がれない。隙間４２ｍは、隙間４２ｋよりも十分大きい。
【００３７】
図１７は、解除手段収納部４３内における主要部材の位置関係を表す説明図である。ガイド部４３ｃ，４３ｅは、リブ状の突起部である。ガイド部４３ｄは、略弓形状の突起部である。ガイド部４３ｄは、左右に対向配置されたガイド部４３ｃ，４３ｅの間に位置している。ガイド部４３ｃ，４３ｄ，４３ｅの下側には、係合片４３ｇ，４３ｈが位置している。係合片４３ｇ，４３ｈは、それぞれ鉤形状のひっかかり部である。係合片４３ｇ，４３ｈの間には、突起部４３ｆが位置している。突起部４３ｆは、円筒状を成している。
【００３８】
図１８は、錠部２の組立構造を表した図である。
固定部収納部４１には、固定部２４と、回転軸２５と、係合バネ２７が位置している。
突出部収納部４２には、突出片２０，２１と、前進部２２と、係合ピン２８が位置している。
解除手段収納部４３には、保持部２３と、バネ２６が位置している。保持部２３の保持片２３ａ，２３ｂは、解除手段収納部４３から突出部収納部４２へと突出している。
容器部材４０の空間４０ｅには、係合片２９が嵌められている。空間４０ｆには、係合片３０が嵌められている。
なお、前進部２２と保持部２３とで、解除手段６を構成している。
【００３９】
固定部２４は、図１８に示すように、凹部４１ｇに位置している。固定片２４ｇは、隙間４１ｗ内に収まっている。
図１９（ａ），（ｂ）は、固定部収納部４１における固定部２４の位置を示す説明図であり、図１９（ａ）は正面図、図１９（ｂ）は背面図である。図１９（ａ）に示すように、胴体部２４ｈおよび腕部２４ａ〜２４ｄは、凹部４１ｇに嵌められている。図１９（ｂ）に示すように、ガイド部２４ｅ（２４ｆ）は、開口４１ｑ（４１ｐ）から突出している。
【００４０】
図２０は固定部収納部４１における回転軸２５の位置を示す説明図であり、図２０（ａ）は正面図、図２０（ｂ）は図２０（ａ）の胴体部２５ａを示す右側面図である。回転軸２５は、図２０（ａ）に示すように、軸受け部４１ｊ，４１ｋと、ガイド部４１ｃ，４１ｄとに跨って位置している。胴体部２５ａは、凹部４１ｍ，４１ｎに嵌められており、軸支されている。胴体部２５ａは、凹部４１ｓ，４１ｔに嵌められている。鍔部２５ｂは、軸受け部４１ｊと、ガイド部４１ｃとの間に位置している。鍔部２５ｃは、軸受け部４１ｋと、ガイド部４１ｄとの間に位置している。
ガイド部２５ｄ，２５ｅは、図２０（ｂ）に示すように、それぞれガイド部４１ｃ，４１ｄに当接している。
【００４１】
回転軸２５は、図１８に示すように、固定部２４に係合している。突出棒２５ｇ（２５ｆ）は、腕部２４ｂ（２４ａ）と腕部２４ｄ（２４ｃ）との間に嵌められている。突出棒２５ｇ（２５ｆ）は、腕部２４ｂ（２４ａ）と腕部２４ｄ（２４ｃ）とに係合している。
さらに、回転軸２５は、係合バネ２７に係合している。係合棒２５ｈは、係合バネ２７の一方の端部に係合している。係合バネ２７の他方の端部は、係合棒４１ｈに係合している。
【００４２】
図２１は突出部収納部４２における突出片２０，２１と前進部２２の位置を示す正面図である。
突出片２０，２１は、開口４２ａに挿通されている。係止部２０ｉ，２１ｉは、凹部４２ｆに係止している。係止部２０ｊ，２１ｊは、凹部４２ｇに係止している。
前進部２２は、正面視で、十字状の開口４２ａと略合致している。解除片２２ａ，２２ｂの幅および高さは、開口４２ａの左右に突出する孔とほぼ同じである。側板２２ｃの幅および高さは、開口４２ａの上下に突出する孔とほぼ同じである。
また、突出片２０，２１の軸部２０ｅ，２１ｅは、開口４２ｅに挿通されている。軸部２０ｅ，２１ｅは、開口４２ｅに略合致している。開口４２ｅの両側に位置している凹部４２ｃ，４２ｄには、それぞれ保持片２３ａ，２３ｂ（保持部２３）が位置している。
【００４３】
図１８に示すように、突出片２０，２１は、ピン受け部４２ｈに固定されている。軸部２０ｅ，２１ｅ（突出片２０，２１）は、開口２２ｅ（前進部２２）を通過して、開口４２ｅ（ピン受け部４２ｈ）に挿通されている。孔２０ｆ，２１ｆ（軸部２０ｅ，２１ｅ）には、係合ピン２８が挿通されている。係合ピン２８は、孔４２ｉ，４２ｊ（ピン受け部４２ｈ）に係合している。
側板２２ｃ（前進部２２）は、図１８において、保持片２３ｂ（２３ａ）（保持部２３）の左側面に当接している。保持片２３ｂ（２３ａ）の右側面は、ピン受け部４２ｈに当接している。凹部２３ｅ（２３ｄ）は、固定片２４ｇ（固定部収納部４１に位置している固定部２４）と、略同一線上に位置している。なお、保持片２３ｂ（２３ａ）の幅は、図１８において、隙間４２ｍ（突出部収納部４２）の幅よりも小さい。
【００４４】
保持部２３は、図２２に示すように、ガイド部４３ｃ〜４３ｅに渡って位置している。保持片２３ａ，２３ｂは、それぞれガイド部４３ｃ，４３ｅに当接している。孔２３ｆ，２３ｇ（保持部２３）は、図２２において、貫通孔４３ｋ，４３ｍ（解除手段収納部４３）と略同一線上に位置している。
図２２において、側板２３ｃ（保持部２３）の裏面側は、バネ２６で付勢されている。また、側板２３ｃ（保持部２３）の表面側は、係合片４３ｇ，４３ｈ（解除手段収納部４３）に係合している。
【００４５】
図１８に示すように、保持部２３は、突出部収納部４２と解除手段収納部４３とに渡って位置している。保持片２３ｂ（２３ａ）は、開口４３ｉ（４３ｊ）に嵌っている。
バネ２６は、突起部４３ｆ（解除手段収納部４３）に嵌められている。側板２３ｃ（保持部２３）は、係合片４３ｇ（４３ｈ）とバネ２６とで左右から挟まれている。孔２３ｇ（２３ｆ）（保持部２３）は、図１８において、貫通孔４３ｋ（４３ｍ）（解除手段収納部４３）と略重なっている。
【００４６】
なお、図１８では、蓋部１８の図示を省略している。蓋部１８はハウジング部１９（容器部材４０）に取り付けられるものである。その際には、孔１８ａと孔４０ｃ（容器部材４０）にネジが挿通されて係合し、孔１８ｂと孔４０ｄ（容器部材４０）にネジが挿通されて係合する。
【００４７】
図２３に示すように、受け部３は、常時閉じる方向に付勢されたシャッター部８を有している。受け部３は、棒部５１，５２が縦に並んでおり、棒部５１，５２の外側に柱部５３，５４が並んでいて、棒部５１，５２および柱部５３，５４の両端部がケース部５５，５６で覆われた構成である。受け部３は、錠部２と嵌合して係合するためのストライク部を成すものである。
図２４（ａ）に示すように、受け部３は正面視で格子状を成している。図２４（ｂ）に示すように、受け部３は側面視で略片字状を成している。
図２５に示すように、受け部３は、棒部５１，５２と、ケース部５５，５６と、ベース部５７と、補強板５８，５９と、バネ６０，６１と、ネジ６２，６３とを有している。
【００４８】
棒部５１，５２は、図２６に示すように、円柱状の金属棒である。棒部５１の両端部には、係合部５１ａ，５１ｂが設けられている。係合部５１ａ，５１ｂは、棒部５１の外径よりも縮径した部位である。棒部５２の両端部にも同様に、係合部５２ａ，５２ｂが設けられている。
【００４９】
ケース部５５（５６）は、図２７（ａ）に示すように、略四角形の金属製の蓋部材である。ケース部５５（５６）の正面側には、凹部５５ａ（５６ａ）が設けられている。凹部５５ａ（５６ａ）の中には、貫通孔５５ｂ（５６ｂ）が設けられている。
一方、図２７（ｂ）に示すように、ケース部５５（５６）の裏面側には、係合片５５ｃ（５６ｃ），５５ｄ（５６ｄ）が設けられている。
【００５０】
ベース部５７は、受け部３の土台となる金属製のフレーム部材である。図２８（ａ）に示すように、ベース部５７は、正面視で略ロ字状である。図２８（ｂ）に示すように、ベース部５７は、側面視で凸状を縦にしたような形状である。
ベース部５７は、縁部５７ａ，５７ｂと、側板部５７ｃ，５７ｄと、上板部５７ｅと、下板部５７ｆと、大開口５７ｇとを有している。上板部５７ｅと大開口５７ｇとの間には、屈曲部５７ｙを有している。下板部５７ｆと大開口５７ｇとの間には、屈曲部５７ｚを有している。
【００５１】
縁部５７ａ，５７ｂは、大開口５７ｇの左右に位置している。縁部５７ｂは、図２８（ａ），（ｂ）に示すように、側板部５７ｄに対して相互に直交する関係にある。縁部５７ｂと側板部５７ｄは、柱部５４を構成している。
縁部５７ａも同様に、側板部５７ｃに対して相互に直交する関係にある。縁部５７ａと側板部５７ｃは、柱部５３を構成している。
【００５２】
上板部５７ｅには、図２８（ａ）に示すように、開口５７ｈ，５７ｉと、孔５７ｊと、係合片５７ｑ，５７ｒとが設けられている。
下板部５７ｆには、開口５７ｋ，５７ｍと、孔５７ｎと、係合片５７ｕ，５７ｖとが設けられている。
上板部５７ｅおよび下板部５７ｆは、図２８（ｂ）に示すように、縁部５７ａ，５７ｂより側板部５７ｄ（５７ｃ）の幅だけ背面側に下がった位置にある。上板部５７ｅおよび下板部５７ｆは、縁部５７ａ，５７ｂに対して相互に平行な関係にある。
【００５３】
屈曲部５７ｙは、図２８（ａ），（ｂ）に示すように、縁部５７ａ，５７ｂと上板部５７ｅとをつなぐ部位である。屈曲部５７ｙは、上板部５７ｅに対して相互に直交する関係にある。屈曲部５７ｙは、図２８（ａ），（ｃ）に示すように、開口５７ｏ，５７ｐを有している。開口５７ｏ，５７ｐの間には、仕切部５７ｗが設けられている。
屈曲部５７ｚは、縁部５７ａ，５７ｂと下板部５７ｆとをつなぐ部位である。屈曲部５７ｚは、下板部５７ｆに対して相互に直交する関係にある。屈曲部５７ｚは、図２８（ａ），（ｄ）に示すように、開口５７ｓ，５７ｔを有している。開口５７ｓ，５７ｔの間には、仕切部５７ｘが設けられている。
【００５４】
補強板５８，５９は、図２９（ａ）に示すように、平面板５８ａ（５９ａ）と、係合片５８ｂ（５９ｂ），５８ｃ（５９ｃ）と、孔５８ｄ（５９ｄ）とを有している。平面板５８ａ（５９ａ）は、図２９（ｂ）に示すように、係合片５８ｂ（５９ｂ），５８ｃ（５９ｃ）に対して相互に直交する関係にある。
【００５５】
図３０は、受け部３の組立構造を表した図である。
ベース部５７には、棒部５１，５２が挿通されている。棒部５１は、開口５７ｏ，５７ｓに挿通されている。棒部５２は、開口５７ｐ，５７ｔに挿通されている。
棒部５１，５２同士は、バネ６０，６１で係合されている。係合部５１ａにはバネ６０の一方側の端部が係合し、係合部５２ａにはバネ６０の他方側の端部が係合している。係合部５１ｂにはバネ６１の一方側の端部が係合し、係合部５２ｂにはバネ６１の他方側の端部が係合している。
バネ６０，６１で係合された棒部５１，５２同士は、近接する方向に付勢されている。すなわち、棒部５１，５２とバネ６０，６１とは、シャッター部８を構成しており、シャッター部８は常時閉じる方向に付勢されている。シャッター部８では、棒部５１，５２で挟み込む構成である。棒部５１，５２は、換言すれば、挟持部９を構成している。
【００５６】
上板部５７ｅには、補強板５８が取り付けられている。開口５７ｈには係合片５８ｂが係合しており、開口５７ｉには係合片５８ｃが係合している。孔５７ｊと孔５８ｄにはネジ６２が挿通されて係合している。
下板部５７ｆには、補強板５９が取り付けられている。開口５７ｋには係合片５９ｃが係合しており、開口５７ｍには係合片５９ｂが係合している。孔５７ｎと孔５９ｄにはネジ６３が挿通されて係合している。
【００５７】
なお、図３０では、ケース部５５，５６の図示を省略している。ケース部５５は、上板部５７ｅ（ベース部５７）に取り付けられるものである。その際には、係合片５５ｄは係合片５７ｑに係合し、係合片５５ｃは係合片５７ｒに係合する。ケース部５６は、下板部５７ｆ（ベース部５７）に取り付けられるものである。その際には、係合片５６ｃは係合片５７ｕに係合し、係合片５６ｄは係合片５７ｖに係合する。
【００５８】
錠部２は、図２における伸縮門扉１０のガイド柱１２内に取り付けられる。図３１は、ガイド柱１２内における、錠部２とハンドル部１４およびレバー部１５との関係を示す斜視図である。
【００５９】
ハンドル部１４は、ハンドル本体１４ａ，１４ｂと、連結棒１４ｃ，１４ｄと、支持台１４ｅ，１４ｆとを有している。ハンドル本体１４ａと支持台１４ｅ、ハンドル本体１４ｂと支持台１４ｆとは、それぞれ一体化されている。
ハンドル本体１４ａと支持台１４ｅ、ハンドル本体１４ｂと支持台１４ｆとは、錠部２を挟んで対向配置されている。
支持台１４ｅ，１４ｆ同士は、連結棒１４ｃ，１４ｄで接続されている。連結棒１４ｃ，１４ｄは、それぞれ錠部２の貫通孔４１ｒ（ハウジング部１９の固定部収納部４１）と貫通孔４３ｎ（ハウジング部１９の解除手段収納部４３）に挿通されている。
すなわち、ハンドル部１４と錠部２とは係合している。
【００６０】
レバー部１５は、レバー本体１５ａ，１５ｂと、連結棒１５ｃとを有している。レバー本体１５ａ，１５ｂは、それぞれ支持台１４ｅ，１４ｆに回動可能に取り付けられている。レバー本体１５ａ，１５ｂ同士は、連結棒１５ｃで接続されており、両者は連動する。
連結棒１５ｃは、孔２３ｆ，２３ｇ（保持部２３）と、貫通孔４３ｋ，４３ｍ（ハウジング部１９の解除手段収納部４３）に挿通されている。
すなわち、レバー部１５と錠部２とは係合しており、レバー部１５は保持部２３を操作可能である。換言すれば、保持部２３は、レバー部１５からの操作に連動する。
【００６１】
錠前１６は、シリンダ１６ａ，１６ｂと、連結棒１６ｃとを有している。シリンダ１６ａ，１６ｂは、それぞれ支持台１４ｅ，１４ｆに取り付けられている。シリンダ１６ａ，１６ｂ同士は、連結棒１６ｃで接続されており、両者は連動する。
連結棒１６ｃは、貫通孔２５ｋ（回転軸２５）に挿通されている。
すなわち、錠前１６と錠部２とは係合しており、錠前１６は回転軸２５を操作可能である。換言すれば、回転軸２５は、錠前１６からの操作に連動する。
【００６２】
図３２（ａ），（ｂ）は、錠部２の解錠動作を示す説明図であり、図３２（ａ）は「解錠前」、図３２（ｂ）は「解錠状態」を示す。
図３２（ａ）の「解錠前」では、保持部２３は、凹部２３ｅ（２３ｄ）が略真上を向く姿勢である。これは、側板２３ｃがバネ２６で付勢されていることにより、図３２（ａ）において、保持片２３ｂ（２３ａ）が孔２３ｇ（２３ｆ）を支点として、時計回りの方向に付勢されていることによる。この時、保持片２３ｂ（２３ａ）は、ピン受け部４２ｈに当接している。なお、前進部２２は、突出片２０，２１に貫通された状態で突出部収納部４２内に収まっているだけであり、他の部材からは、何の力も受けていない。つまり、前進部２２は、前進可能な状態にある。
【００６３】
図３２（ｂ）の「解錠状態」では、保持部２３は、凹部２３ｅ（２３ｄ）が突出部５の方向へ傾いた姿勢である。傾いた保持部２３は、前進部２２を突出部５の方向へ押圧している。前進部２２は、突出部５の方向へ距離Ｓだけ移動している。なお、突出片２０，２１は、ピン受け部４２ｈに係合ピン２８で係合しているため、固定されたままである。
保持部２３の移動は、バネ２６の付勢力を上回る力が、保持部２３に加わることで可能となる。この時、図３２（ｂ）において、保持片２３ｂ（２３ａ）が孔２３ｇ（２３ｆ）を支点として反時計回りに回動している。バネ２６は、側板２３ｃに押圧されて、圧縮されている。
【００６４】
図３３（ａ）〜（ｄ）は、錠部２と受け部３との施錠動作の原理を示す説明図（平面図）であり、図３３（ａ）は「対向状態」、図３３（ｂ）は「近接状態」、図３３（ｃ）は「係合状態」、図３３（ｄ）は「施錠状態」を示す。
図３３（ａ）の「対向状態」では、突出部５（錠部２）とシャッター部８（受け部３）とが対向した状態である。シャッター部８は、常時閉じる方向に付勢されている。この状態において、図中の矢印の方向へ突出部５（錠部２）を移動させると、錠部２と受け部３とは図３３（ｂ）の「近接状態」になる。
【００６５】
図３３（ｂ）の「近接状態」では、シャッター部８（受け部３）の間に、突出部５（錠部２）の一部が入り込んでいる。バネ６０（６１）は少し伸びている。この状態において、図中の矢印の方向へ突出部５（錠部２）を移動させると、錠部２と受け部３とは図３３（ｃ）の「係合状態」になる。
【００６６】
図３３（ｃ）の「係合状態」では、棒部５１，５２（シャッター部８、受け部３）は、キノコ状の先端部２０ａ，２１ａ（錠部２）の外形の最大箇所に位置している。バネ６０（６１）は、最も伸びた状態である。この状態において、図中の矢印の方向へ突出部５（錠部２）を移動させると、錠部２と受け部３とは図３３（ｄ）の「施錠状態」になる。
【００６７】
図３３（ｄ）の「施錠状態」では、突出部５（錠部２）はシャッター部８（受け部３）を通過している。棒部５１，５２（受け部３）は、係止部７（錠部２）に係止している。バネ６０（６１）は、通常の状態である。
錠部２と受け部３とは、図３３（ａ）〜（ｄ）の手順により、両者を施錠することができる。すなわち、常時閉じる方向に付勢されたシャッター部８（受け部３）を、突出部５（錠部２）でこじ開けることにより、両者を係合することができる。
【００６８】
図３４（ａ）〜（ｃ）は、錠部２と受け部３との解錠動作の原理を示す説明図（平面図）であり、図３４（ａ）は「施錠状態」、図３４（ｂ）は「解錠可能状態」、図３４（ｃ）は「解錠状態」を示す。
図３４（ａ）の「施錠状態」では、棒部５１，５２（シャッター部８、受け部３）は、係止部７（錠部２）に係止している。突出部５（錠部２）は棒部５１，５２（シャッター部８、受け部３）を通過した状態にある。この状態において、突出部５（錠部２）が何らかの力で引っ張られた場合でも、キノコ状の先端部２０ａ，２１ａ（錠部２）が棒部５１，５２（受け部３）に引っ掛かってしまう。このため、突出部５（錠部２）はシャッター部８（受け部３）から抜くことはできない。
【００６９】
図３４（ｂ）の「解錠可能状態」では、解除手段６（前進部２２，保持部２３）による解除動作により、前進部２２が突出部５側に移動している。移動された前進部２２（解除片２２ａ，２２ｂ）は、棒部５１，５２（シャッター部８、受け部３）を開放方向へ押し拡げている。バネ６０（６１）は、最も伸びた状態である。この状態において、解除手段６による解除動作を保持したまま、図中の矢印の方向へ錠部２を移動させると、錠部２と受け部３とは図３４（ｃ）の「解錠状態」になる。
【００７０】
図３４（ｃ）の「解錠状態」では、錠部２と受け部３とは離れた位置にあり、解錠されている。
錠部２と受け部３とは、図３４（ａ）〜（ｃ）の手順により、両者を解錠することができる。すなわち、解除手段６でシャッター部８をこじ開けることで、シャッター部８を開放方向に拡げることが可能である。
【００７１】
図３５（ａ），（ｂ）は、錠部２の固定部２４による保持部２３の固定方法を示す説明図であり、図３５（ａ）は「自由状態」、図３５（ｂ）は「固定状態」を示す。
図３５（ａ）の「自由状態」では、保持部２３は、他の部材から何の力も受けていない。すなわち、保持部２３は、孔２３ｇ（２３ｆ）を支点として、自由に回動可能である。
図３５（ｂ）の「固定状態」では、保持部２３は固定部２４で固定された状態である。すなわち、凹部２３ｅ（２３ｄ）（保持部２３）に固定片２４ｇ（固定部２４）が係合しており、保持部２３は自由に回動できない。
固定部２４の固定動作は、回転軸２５の回動動作によって可能である。すなわち、回転軸２５が貫通孔２５ｋを支点として回動することにより、突出棒２５ｇ（２５ｆ）が回動する。突出棒２５ｇ（２５ｆ）の回動により、突出棒２５ｇ（２５ｆ）に係合している腕部２４ｄ（２４ｃ）（固定部２４）が押圧されて下降する。固定部２４は、ガイド部２４ｅ（２４ｆ）が開口４１ｑ（４１ｐ）の下端部に当接するまで下降する。固定部２４の下降に伴って固定片２４ｇも下降し、固定片２４ｇ（固定部２４）が凹部２３ｅ（２３ｄ）（保持部２３）に係合する。
なお、回転軸２５の貫通孔２５ｋには、図２における伸縮門扉１０に取り付けられる錠前１６に接続される棒等が挿通される。このことにより、保持部２３は、錠前１６に連動する。
【００７２】
以上のように、本実施形態に係る錠１によれば、受け部３（シャッター部８）に、錠部２（突出部５）を挿通するだけで、両者を容易に施錠することができる。また、錠部２（解除手段６）を受け部３（シャッター部８）に挿通するだけで、両者を容易に解錠することができる。
すなわち、伸縮門扉１０において、錠部２に接続されたハンドル部１４を握り、ガイド柱１１（受け部）に近接する方向へガイド柱１２をスライドさせるだけで、ガイド柱１１，１２同士を施錠することができる。また、ハンドル部１４とレバー部１５（解除手段６）を握り、ガイド柱１１（受け部）から離反する方向へガイド柱１２をスライドさせるだけで、ガイド柱１１，１２同士を解錠することができる。つまり、伸縮門扉１０は、プッシュプル錠の技術を応用したものである。
【符号の説明】
【００７３】
１      錠
５      突出部
６      解除手段
８      シャッター部
９      挟持部
２２      前進部
２３      保持部
【図１】
0005916282.tif 000002
【図２】
0005916282.tif 000003
【図３】
0005916282.tif 000004
【図４】
0005916282.tif 000005
【図５】
0005916282.tif 000006
【図６】
0005916282.tif 000007
【図７】
0005916282.tif 000008
【図８】
0005916282.tif 000009
【図９】
0005916282.tif 000010
【図１０】
0005916282.tif 000011
【図１１】
0005916282.tif 000012
【図１２】
0005916282.tif 000013
【図１３】
0005916282.tif 000014
【図１４】
0005916282.tif 000015
【図１５】
0005916282.tif 000016
【図１６】
0005916282.tif 000017
【図１７】
0005916282.tif 000018
【図１８】
0005916282.tif 000019
【図１９】
0005916282.tif 000020
【図２０】
0005916282.tif 000021
【図２１】
0005916282.tif 000022
【図２２】
0005916282.tif 000023
【図２３】
0005916282.tif 000024
【図２４】
0005916282.tif 000025
【図２５】
0005916282.tif 000026
【図２６】
0005916282.tif 000027
【図２７】
0005916282.tif 000028
【図２８】
0005916282.tif 000029
【図２９】
0005916282.tif 000030
【図３０】
0005916282.tif 000031
【図３１】
0005916282.tif 000032
【図３２】
0005916282.tif 000033
【図３３】
0005916282.tif 000034
【図３４】
0005916282.tif 000035
【図３５】
0005916282.tif 000036